(57)【要約】【課題】  イレージャが発生している場合であっても、受信特性の悪化を低減したい。【解決手段】  復調部２０は、受信した信号系列を復調する。導出部２２は、復調した信号系列に対する位相誤差を導出する。軟判定部２６は、導出した位相誤差が小さい場合、復調した信号系列を軟判定し、導出した位相誤差が大きい場合、復調した信号系列のうちの既知信号の部分に対して、軟判定を実行しながら、復調した信号系列のうちのデータ信号の部分に対して、軟判定のうちの信頼性の低い部分にて硬判定を実行する。確定部３６は、判定した信号系列のうち、既知信号の部分の値を取得し、当該取得した値をもとに、復調した信号系列の位相を確定する。復号部３８は、位相の確定がなされた信号系列であって、かつ判定した信号系列のうち、データ信号を復号する。【選択図】  図１
2007067564.tif 000002
【特許請求の範囲】
【請求項１】
データ信号の間に既知信号が周期的に配置された信号系列であって、かつ符号化がなされた信号系列を受信する受信部と、
前記受信部において受信した信号系列を復調する復調部と、
前記復調部において復調した信号系列に対する位相誤差を導出する導出部と、
前記導出部において導出した位相誤差が小さい場合、前記復調部において復調した信号系列を軟判定し、前記導出部において導出した位相誤差が大きい場合、前記復調部において復調した信号系列のうちの既知信号の部分に対して、軟判定を実行しながら、前記復調部において復調した信号系列のうちのデータ信号の部分に対して、軟判定のうちの信頼性の低い部分にて硬判定を実行する判定部と、
前記判定部において判定した信号系列のうち、既知信号の部分の値を取得し、当該取得した値をもとに、前記復調部において復調した信号系列の位相を確定する確定部と、
前記確定部において位相の確定がなされた信号系列であって、かつ前記判定部において判定した信号系列のうち、データ信号を復号する復号部と、
を備えることを特徴とする受信装置。
【請求項２】
前記判定部は、
前記復調部において復調した信号系列の中から、既知信号が配置されるべきタイミングを特定することによって、既知信号の部分とデータ信号の部分とをそれぞれ特定する特定部と、
前記特定部において特定した既知信号の部分に対して、複数の値のうちのいずれかを選択するように軟判定を実行する手段と、前記特定部において特定したデータ信号の部分に対して、軟判定での複数の値のうち、低い信頼性に相当したふたつの値を有効にして硬判定を実行する実行部と、
を備えることを特徴とする請求項１に記載の受信装置。
【請求項３】
前記確定部は、
前記判定部において軟判定した既知信号の部分の符号と、前後の既知信号の部分の符号との関係が既知信号での関係と異なっている場合に、当該既知信号の部分に対する信頼性と、前後の既知信号の部分に対する信頼性とを反映しながら、当該既知信号の部分の位相スリップを検出する検出部と、
前記検出部において位相スリップを検出した場合、前記既知信号の部分と次の既知信号の部分との間に配置されたデータ信号の部分に対して、位相の回転を実行する回転部と、  を備えることを特徴とする請求項１または２に記載の受信装置。
【発明の詳細な説明】
【技術分野】
【０００１】
本発明は、受信技術に関し、特に符号化された信号を受信する受信装置に関する。
【背景技術】
【０００２】
無線通信システムにおいて、受信した信号の誤り率を改善するためのひとつの技術として、誤り訂正方式が使用される。このような誤り訂正方式のひとつがたたみ込み符号である。たたみ込み符号化された信号を受信装置が復号する際、一般的に軟判定してから復号する方が、硬判定してから復号するよりも、受信特性が改善される。硬判定復号では、復調されたデータに対応した２値の枝メトリックによって尤度が計算されるのに対して、軟判定復号では、受信信号から導出した多値の枝メトリックによって尤度が計算される（例えば、特許文献１参照。）。
【特許文献１】特開平９−２０５４６５号公報
【発明の開示】
【発明が解決しようとする課題】
【０００３】
衛星通信システムにおいて、複数の到来波にもとづくフェージングや、地球上の移動局から衛星局が見えなくなるブロッキングによって、移動局での受信信号の受信電力が小さくなる。その結果、受信電力が最低受信感度よりも低くなるイレージャ状態が発生する。このようなイレージャ状態が発生すると、一般的に雑音の影響が大きくなるので、軟判定された値に含まれる誤差も大きくなる。そのため、復号された信号に含まれる誤差が大きくなり、受信特性が悪化する。このようなイレージャ状態における受信特性の悪化を改善するために、以下の処理が一般的になされている。すなわち、（１）受信信号の受信電力が測定され、受信電力が小さくなったときにイレージャ状態の発生が認識され、（２）イレージャ状態が発生すると、「０」のごとく、枝メトリックに影響を及ぼさない値が出力される。
【０００４】
本発明者はこうした状況下、以下の課題を認識するに至った。受信電力は瞬時に大きく変動するが、このような変動の影響を低減するために、受信電力の測定では、一般的にフィルタリングがなされている。フィルタによる処理遅延のために、実際の無線伝送路の状態、すなわちイレージャが発生しているか否かと、測定した受信電力の値の間には、時間差が発生する。そのため、イレージャが発生しているにもかかわらず、通常の軟判定が実行されたり、イレージャの発生が終了しているにもかかわらず、枝メトリックに影響を及ぼさない値の出力が実行される。その結果、復号器にとって最適な処理がなされていない。
【０００５】
一方、連続した信号系列が受信される場合には、以下のような課題も存在する。ここで、信号系列において、データの間にユニークワードが周期的に配置されている。また、このような信号系列を受信した受信装置は、受信した信号系列を復調した後に軟判定を実行し、軟判定した信号系列をバッファに一旦蓄積する。さらに、受信装置は、蓄積した信号系列からユニークワードを検出する。一般的に、このようなユニークワードの検出によって、復調された信号の位相が確定される。なお、ユニークワードの検出は、蓄積した信号系列の中から、周期的に配置されるべきユニークワードのパターンを探索することによって、実現される。しかしながら、イレージャの発生によって、枝メトリックに影響を及ぼさない値の出力が実行されていれば、ユニークワードとデータとの判別が不可能になり、ユニークワードの探索が実行できなくなる。その結果、ユニークワードが検出できなくなる。実際問題として、フェージングなどによる受信電力の低下により、復調動作が一時的に不安定となるケースでは、復調出力の位相が急激にシフトし、位相スリップと呼ばれる状態に陥ることがある。その場合には、ユニークワードといった既知信号による判定が必要とされるが、ユニークワードが検出されないと復調された信号の位相が確定されなくなって、受信特性が悪化する。
【０００６】
本発明はこうした状況に鑑みてなされたものであり、その目的は、イレージャが発生している場合であっても、受信特性の悪化を低減する受信装置を提供することにある。
【課題を解決するための手段】
【０００７】
上記課題を解決するために、本発明のある態様の受信装置は、データ信号の間に既知信号が周期的に配置された信号系列であって、かつ符号化がなされた信号系列を受信する受信部と、受信部において受信した信号系列を復調する復調部と、復調部において復調した信号系列に対する位相誤差を導出する導出部と、導出部において導出した位相誤差が小さい場合、復調部において復調した信号系列を軟判定し、導出部において導出した位相誤差が大きい場合、復調部において復調した信号系列のうちの既知信号の部分に対して、軟判定を実行しながら、復調部において復調した信号系列のうちのデータ信号の部分に対して、軟判定のうちの信頼性の低い部分にて硬判定を実行する判定部と、判定部において判定した信号系列のうち、既知信号の部分の値を周期的に取得し、当該取得した値をもとに、復調部において復調した信号系列の位相を確定する確定部と、確定部において位相の確定がなされた信号系列であって、かつ判定部において判定した信号系列のうち、データ信号を復号する復号部と、を備える。
【０００８】
「軟判定のうちの信頼性の低い部分にて硬判定を実行する」とは、軟判定において規定された複数の値のうち、信頼性が低い値として規定された値だけを選択し、選択した値によって硬判定を実行することである。
【０００９】
この態様によると、位相誤差の大きさによらず既知信号を軟判定するので、既知信号の検出能力の維持ができ、位相誤差の大きさに応じてデータ信号を軟判定あるいは硬判定するので、データ信号の受信特性を向上できる。
【００１０】
判定部は、復調部において復調した信号系列の中から、既知信号が配置されるべきタイミングを特定することによって、既知信号の部分とデータ信号の部分とをそれぞれ特定する特定部と、特定部において特定した既知信号の部分に対して、複数の値のうちのいずれかを選択するように軟判定を実行する手段と、特定部において特定したデータ信号の部分に対して、軟判定での複数の値のうち、低い信頼性に相当したふたつの値を有効にして硬判定を実行する実行部と、を備えてもよい。この場合、信号系列の中から、既知信号の部分とデータ信号の部分とを特定するので、既知信号の部分とデータ信号の部分とのそれぞれに対して、異なった判定を実行できる。
【００１１】
確定部は、判定部において軟判定した既知信号の部分の符号と、前後の既知信号の部分の符号との関係が既知信号での関係と異なっている場合に、当該既知信号の部分に対する信頼性と、前後の既知信号の部分に対する信頼性とを反映しながら、当該既知信号の部分の位相スリップを検出する検出部と、検出部において位相スリップを検出した場合、既知信号の部分と次の既知信号の部分との間に配置されたデータ信号の部分に対して、位相の回転を実行する回転部と、を備えてもよい。
【００１２】
「既知信号での関係」とは、軟判定した既知信号の部分の符号と、前後の既知信号の部分の符号とにそれぞれ対応すべき既知信号の符号間の関係である。この場合、軟判定した既知信号を使用して位相スリップを検出するので、信頼性の情報を使用することによって、位相スリップの検出精度を向上できる。
【００１３】
なお、以上の構成要素の任意の組合せ、本発明の表現を方法、装置、システム、記録媒体、コンピュータプログラムなどの間で変換したものもまた、本発明の態様として有効である。
【発明の効果】
【００１４】
本発明によれば、イレージャが発生している場合であっても、受信特性の悪化を低減できる。
【発明を実施するための最良の形態】
【００１５】
本発明を具体的に説明する前に、概要を述べる。本発明の実施例は、連続した信号を受信する受信装置に関する。受信装置は、符号化された信号を受信し、受信した信号を復調した後に、軟判定を実行する。さらに、受信装置は、軟判定した信号を復号する。また、受信した信号は、複数のブロックの連続によって構成されており、ブロックのそれぞれにＵＷ（ユニークワード）とデータとが配置されている。受信した信号は、受信した信号からＵＷを検出し、検出したＵＷによって復調した信号の位相を確定する。このような受信装置において受信される信号にイレージャが発生すると、復調した信号に含まれる誤差が増大する。その結果、復号された結果にも誤りが発生する。
【００１６】
一方、復号された結果に発生される誤りを低減するために、枝メトリックに影響を及ぼさない値、例えば「０」の値が軟判定によって出力されれば、ＵＷとデータに対して同一の値が出力されるので、ＵＷ検出が不可能になる。その結果、復調した信号の位相が確定されなくなる。本実施例に係る受信装置は、イレージャが発生した場合に、復号された結果に発生される誤りを低減しながらも、復調した信号の位相を確定するために以下のように動作する。また、受信装置は、これらの動作とイレージャ発生の検出との時間差を小さくするように以下の処理を実行する。
【００１７】
受信装置は、復調した信号に含まれる位相誤差を導出する。導出した位相誤差がしきい値よりも大きければ、受信装置は、イレージャ状態の発生を検出する。復号される直前の信号からイレージャ状態の発生が検出されるので、イレージャ状態に対する処理と測定の時間差を小さくできる。イレージャ状態になると、受信装置は、ＵＷの部分に対して軟判定の実行を維持すると共に、データの部分に対して硬判定を実行する。ここで、硬判定は、軟判定での信頼性の低い値を使用するように実行される。例えば、軟判定での値が「＋７」、「＋５」、「＋３」、「＋１」、「−１」、「−３」、「−５」、「−７」のように規定されている場合、信頼性の低い値として「＋１」、「−１」の値が使用される。「＋１」、「−１」の値のごとく、符号の判定がなされた値を使用するので、復号器は、枝メトリックに及ぼす影響を小さくしながら、最新の状態に枝メトリックを更新する。その結果、復号された結果に発生される誤りを低減しながら、イレージャ状態が終了したときに通常の状態への復帰が早くなされる。一方、ＵＷの部分に対して、軟判定が引き続き実行されるので、ＵＷの検出が可能になる。さらに、軟判定による信頼性の情報を使用しながら、位相の確定が実行されるので、位相確定の精度の向上が可能になる。
【００１８】
図１は、本発明の実施例に係る受信装置１００の構成を示す。受信装置１００は、アンテナ１０、ＲＦ部１２、直交検波部１６、ＡＤ部１８、復調部２０、導出部２２、比較部２４、軟判定部２６、インタリーブバッファ２８、デインタリーブ部３０、フレーム同期部３２、ＵＷテーブル３４、確定部３６、復号部３８、制御部４０を含む。
【００１９】
ＲＦ部１２は、アンテナ１０を介して受信した無線周波数のアナログ信号を受信する。なお、無線周波数のアナログ信号は、図示しない衛星局から送信されているものとする。また、無線周波数のアナログ信号は、連続的な信号であり、データの間にＵＷが周期的に配置されている。また、データには、たたみ込み符号化がなされているものとする。ここで、既知信号が配置されるべき周期を「ブロック」と定義するので、無線周波数のアナログ信号は、複数のブロックの連続によって構成されているといえる。
【００２０】
図２は、受信装置１００において入力される信号のフォーマットを示す。図中の「Ｃ１」、「Ｃ２」、「Ｃ３」、「Ｃ４」、「Ｃ５」、「Ｃ６」等は、ＵＷを示す。これらの値は、受信装置１００にとって既知であればよく、すべてが同一の値でなくてもよい。なお、ここでは、説明を容易にするために、ＵＷはすべて同一の値であるとする。また、「Ｄ１」から「ＤＮ」等は、データを示す。さらに、図示のごとく、ひとつのブロックが、ふたつのＵＷとＮ個のデータから形成されている。また、複数のブロックによってひとつのフレームが形成されており、複数のフレームによって信号系列が形成されている。図１に戻る。ＲＦ部１２は、受信した無線周波数のアナログ信号に対して、増幅処理を実行した後に、中間周波数への周波数変換処理を実行する。その結果、ＲＦ部１２は、中間周波数のアナログ信号を出力する。以上の処理を実行するために、ＲＦ部１２は、図示しないＬＮＡ（Ｌｏｗ  Ｎｏｉｓｅ  Ａｍｐｌｉｆｉｅｒ）、ミキサ、局部発振器等を含む。
【００２１】
直交検波部１６は、中間周波数のアナログ信号に対して、直交検波を実行し、ベースバンドのアナログ信号を出力する。なお、ベースバンドのアナログ信号は、一般的に、同相成分と直交成分を含むので、ふたつの信号線によって示されるべきであるが、ここでは、図の明瞭化のために、ベースバンドのアナログ信号をひとつの信号線にて示す。以下においても同様である。以上の処理を実行するために、直交検波部１６は、ミキサ、局部発振器、ＡＧＣ（Ａｕｔｏｍａｔｉｃ  Ｇａｉｎ  Ｃｏｎｔｒｏｌ）を含む。
【００２２】
ＡＤ部１８は、ベースバンドのアナログ信号に対して、アナログ−デジタル変換を実行し、ベースバンドのデジタル信号を出力する。ここで、アナログ−デジタル変換は、同相成分と直交成分のそれぞれに対して独立に実行される。また、デジタル信号のビット数は、任意の値であり、サンプリングレートは、シンボルレートのＮ（Ｎは２以上の整数）倍であるとする。
【００２３】
復調部２０は、ＡＤ部１８からのベースバンドのデジタル信号から搬送波を再生する。なお、搬送波の再生には、逓倍法、コスタスループ法、逆変調法等の公知の技術が使用されればよい。また、復調部２０は、再生した搬送波によって、ベースバンドのデジタル信号を復調する。ここでは説明を容易にするために、一例として、変調方式が、ＢＰＳＫ（Ｂｉｎａｒｙ  Ｐｈａｓｅ  Ｓｈｉｆｔ  Ｋｅｙｉｎｇ）であるものとして説明する。なお、変調方式は、これに限定されるものではない。
【００２４】
導出部２２は、復調部２０において復調したデジタル信号に対する位相誤差を導出する。ここでの位相誤差は、復調したデジタル信号の位相と、本来配置されるべき信号点の位相との位相差の絶対値によって導出される。ここで、本来配置されるべき信号点の位相とは、「ＢＰＳＫ」の場合、例えば、「０」、「π」に相当する。そのため、導出部２２は、復調したデジタル信号の位相と、「０」あるいは「π」との位相差の絶対値を計算する。また、位相差の絶対値は、シンボル単位に導出される。さらに、導出部２２は、シンボル単位に導出された位相差の絶対値に対して、移動平均を実行することによって、最終的な位相誤差が導出される。そのため、位相誤差の値は、シンボル単位に更新される。
【００２５】
比較部２４は、導出部２２から位相誤差を順次入力し、入力した位相誤差をしきい値と比較することによって、イレージャ状態になっているか否かを判定する。ここで、しきい値は、予め規定されている。図３は、比較部２４において記憶されているしきい値のデータ構造を示す。図示のごとく、状態変化欄５０、しきい値欄５２が含まれている。ここで、イレージャ状態でない状態は、「通常状態」と呼ばれるものとする。また、しきい値は、「通常状態→イレージャ状態」の場合と「イレージャ状態→通常状態」の場合のそれぞれに対して規定される。図示のごとく、前者に対するしきい値は「Ａ」とされ、後者に対するしきい値は「Ｂ」とされる。なお、「Ａ」の値の大きさは、「Ｂ」の値の大きさよりも大きいものとする。
【００２６】
その結果、通常状態からイレージャ状態への状態の変化は発生しにくくなり、イレージャ状態から通常状態への状態の変化も発生しにくくなる。すなわち、状態の変化に対して、ヒステリシスを与えることによって、状態の変化が頻繁に発生することを防止できる。なお、状態の変化が頻繁に発生すると、受信装置１００の動作が不安定になる可能性がある。状態が通常状態であるとき、位相誤差がしきい値「Ａ」より大きくなれば、比較部２４は、イレージャ状態への変更を決定する。一方、状態がイレージャ状態であるとき、位相誤差がしきい値「Ｂ」より小さくなれば、比較部２４は、通常状態への変更を決定する。
【００２７】
軟判定部２６は、比較部２４での比較結果にしたがって軟判定の方法を変えながら、軟判定を実行する。すなわち、軟判定部２６は、通常状態である場合、すなわち導出部２２において導出した位相誤差がしきい値よりも小さい場合、復調部２０において復調した信号系列を軟判定する。一方、軟判定部２６は、イレージャ状態である場合、すなわち導出部２２において導出した位相誤差がしきい値よりも大きい場合、復調部２０において復調した信号のうちのＵＷの部分に対して、軟判定を実行する。つまり、軟判定部２６は、複数の値のうちのいずれかを選択するように軟判定を実行する。また、軟判定部２６は、イレージャ状態である場合、復調部２０において復調した信号のうちのデータの部分に対して、軟判定のうちの信頼性の低い部分にて硬判定を実行する。つまり、軟判定部２６は、軟判定での複数の値のうち、低い信頼性に相当したふたつの値を有効にして硬判定を実行する。
【００２８】
図４は、軟判定部２６における軟判定の動作原理を示す。図中において、縦軸は振幅を示しており、振幅の値に対応付けられた複数の軟判定の値も示されている。ここで、振幅の値が正である場合、振幅の大きい方から順に「＋７」、「＋５」、「＋３」、「＋１」と複数の値が規定される。一方、振幅の値が負である場合、振幅の大きい方から順に「−７」、「−５」、「−３」、「−１」と複数の値が規定される。軟判定部２６は、復調された信号をこれらの値のいずれかに対応づける。なお、前述の通常状態の場合、「＋７」から「−７」までの間の値が軟判定に使用されるが、イレージャ状態の場合、データの部分に対して、「＋１」と「−１」の値、すなわち信頼性の低い値が軟判定に使用される。図１に戻る。
【００２９】
軟判定部２６の動作において、特にイレージャ状態の場合、ＵＷの部分とデータの部分とに対して処理が異なるので、信号系列の中での両者が配置されるべきタイミングは、予め特定されていなければならない。そのため、後述のフレーム同期部３２において、復調部２０において復調した信号系列の中から、ＵＷが配置されるべきタイミングが特定され、軟判定部２６は、特定されたタイミングをもとに、ＵＷの部分とデータの部分とをそれぞれ特定する。
【００３０】
インタリーブバッファ２８は、軟判定部２６において判定した信号を記憶する。インタリーブバッファ２８における記憶領域は、行列として構成されており、入力した信号を行の方向に順次記憶していく。また、ひとつの行に記憶される信号の数は、前述のブロックに含まれる信号の数に対応する。すなわち、ひとつのブロックがひとつの行に記憶される。また、列の数は、ひとつのフレームに含まれるブロックの数として規定される。そのため、行列として構成されている記憶領域に、ひとつのフレームに含まれる信号がそれぞれ記憶される。
【００３１】
図５は、インタリーブバッファ２８におけるデータ構造を示す。第１行目に「Ｃ１」、「Ｃ２」、「Ｄ１」から「ＤＮ」が記憶される。すなわち、ひとつのブロックに含まれた信号が、すなわちＵＷとデータとが記憶される。また、その他の行も同様である。なお、ひとつの行に記憶された信号の数がひとつのブロックに含まれた信号の数に等しいので、所定の列にはＵＷが記憶される。図中において、左端の列とその隣の列にＵＷが記憶されている。ここで、「５」、「６」等と具体的な数値によって示されている部分は、軟判定の結果である。前述のごとく、行の方向に信号は入力される。例えば、「Ｃ１」、「Ｃ２」、「Ｄ１」から「ＤＮ」の順に信号が入力される。図１に戻る。
【００３２】
フレーム同期部３２は、インタリーブバッファ２８に記憶された信号から、ＵＷが配置された列を特定することによって、フレームの同期を確立する。前述のごとく、ＵＷは同一の値に規定されているので、雑音の影響を無視すれば、ＵＷ間の位相差は「０」になる。フレーム同期部３２は、インタリーブバッファ２８でのひとつの列に対して、隣接した値間の位相差をそれぞれ計算する。計算したそれぞれの位相差が「０」に近ければ、フレーム同期部３２は、当該列に記憶された信号をＵＷと特定する。また、計算したそれぞれの位相差が「０」に近くなければ、フレーム同期部３２は、別の列に対して同様の処理を繰り返し実行する。以上のような処理によって、フレーム同期部３２は、隣接したふたつの列に配置されるべきＵＷを特定する。また、フレーム同期部３２は、フレーム同期が確立したときに、そのタイミングと、ＵＷが記憶されている列に関する情報を出力する。なお、本実施例においてＵＷは同一の値であるとして説明したが、ＵＷは既知の信号であるので、ＵＷが同一でない値であっても、フレーム同期部３２では隣接した値間の位相差が把握できることから、同該業者であればその対応は容易である。
【００３３】
デインタリーブ部３０は、インタリーブバッファ２８に記憶された信号を列の方向に順次出力していく。すなわち、図５において、例えば、「Ｄ１」、「Ｄ（Ｘ＋１）」の順に信号が出力される。ここで、出力の順番は、列の方向に限定されるものではなく、インタリーブバッファ２８に入力される信号の順番と異なっていればよい。
【００３４】
ＵＷテーブル３４は、ＵＷの値を記憶する。前述のごとく、すべてのＵＷの値は、同一であるものとされるので、ＵＷテーブル３４は、同一の値を記憶する。また、正の値が記憶されているものとする。また、同期が確立されたタイミングをフレーム同期部３２から受けつけると、ＵＷテーブル３４は、記憶していたＵＷの値を確定部３６に出力する。
【００３５】
確定部３６は、フレーム同期部３２から列に関する情報を受けつけ、受けつけた情報をもとに、デインタリーブ部３０から出力された信号系列のうち、ＵＷの部分の値を特定する。ここでは、連続したふたつの列に含まれるべきＵＷの部分が特定される。さらに、確定部３６は、取得したＵＷの値をもとに、復調部２０において復調した信号系列の位相を確定する。具体的に説明すると、確定部３６は、第１段階として、軟判定部２６において軟判定したひとつのＵＷの部分（以下、「処理対象ＵＷ」という）の符号と、前後のＵＷの部分の符号との関係が、ＵＷでの関係と異なっているかを調査する。ここで、前述のごとく、ＵＷでの関係とは、すべて同一の正の値となる関係である。そのため、確定部３６は、前後のＵＷの部分の符号が正であるにもかかわらず、負の符号を有した処理対象ＵＷを特定する。図５では、「−１」の行が特定される。
【００３６】
これに続いて、確定部３６は、第２段階として、処理対象ＵＷに対する信頼性と、前後のＵＷの部分に対する信頼性とを反映しながら、処理対象ＵＷの位相スリップを検出する。ここで、信頼性は、軟判定値の絶対値の大きさに対応づけられる。そのため、確定部３６は、前後のＵＷの部分の絶対値がしきい値「α」よりも大きく、かつ特定された処理対象ＵＷの絶対値がしきい値「β」よりも小さい場合に、処理対象ＵＷにて位相スリップが生じていると決定する。ここで、しきい値「α」と「β」は、同一の値であってもよい。さらに、確定部３６は、位相スリップを検出した場合、処理対象ＵＷと次のＵＷの部分との間に配置されたデータの部分に対して、位相の回転を実行する。ここで、処理対象ＵＷと次のＵＷの部分との間に配置されたデータの部分とは、インタリーブバッファ２８に記憶された信号のうち、処理対象ＵＷと同一の行に記憶されたデータに相当する。また、位相の反転は、符号の反転によって実行される。図５において、しきい値αが「３」であるとすると、前述の「−１」等の上段と下段でのＵＷの値がしきい値よりも大きくなっている。一方、しきい値βも「３」であるとすると、前述の「−１」がしきい値よりも小さくなっている。その結果、確定部３６は、「−１」等を検出する。
【００３７】
復号部３８は、確定部３６において位相の確定がなされた信号のうち、データを復号する。通常状態とイレージャ状態に応じて、軟判定部２６は、データに対して異なった判定を実行するが、復号部３８は、そのような判定の相違に依存せずに、軟判定を実行する。すなわち、軟判定部２６は、イレージャ状態の際に硬判定を実行しているが、このような硬判定は、軟判定における複数の値のうちのふたつが使用されているだけであるので、復号部３８は、信頼性が単に低くなっているものとして処理を実行する。なお、符号化として、たたみ込み符号化が使用されているので、復号部３８は、軟判定ビタビ復号を実行する。ここで、軟判定ビタビ復号には、公知の技術が使用されればよいので、詳細な説明は省略する。制御部４０は、受信装置１００でのタイミング等を制御する。
【００３８】
この構成は、ハードウエア的には、任意のコンピュータのＣＰＵ、メモリ、その他のＬＳＩで実現でき、ソフトウエア的にはメモリにロードされた通信機能のあるプログラムなどによって実現されるが、ここではそれらの連携によって実現される機能ブロックを描いている。したがって、これらの機能ブロックがハードウエアのみ、ソフトウエアのみ、またはそれらの組合せによっていろいろな形で実現できることは、当業者には理解されるところである。
【００３９】
以上の構成による受信装置１００の動作を説明する。図６は、受信装置１００におけるイレージャ状態の検出動作の手順を示すフローチャートである。通常状態であれば（Ｓ１０のＹ）、比較部２４は、しきい値「Ａ」を選択する。導出部２２において導出した位相誤差がＡより大きければ（Ｓ１２のＹ）、比較部２４は、通常状態からイレージャ状態への変更を決定し（Ｓ１４）、その結果を軟判定部２６に出力する。一方、導出部２２において導出した位相誤差がＡより大きくなければ（Ｓ１２のＮ）、比較部２４は、通常状態を維持し、その結果を軟判定部２６に出力する。通常状態でなければ（Ｓ１０のＮ）、比較部２４は、しきい値「Ｂ」を選択する。導出部２２において導出した位相誤差がＢより小さければ（Ｓ１６のＹ）、比較部２４は、イレージャ状態から通常状態への変更を決定し（Ｓ１８）、その結果を軟判定部２６に出力する。一方、導出部２２において導出した位相誤差がＢより小さくなければ（Ｓ１６のＮ）、比較部２４は、イレージャ状態を維持し、その結果を軟判定部２６に出力する。
【００４０】
図７は、受信装置１００における判定処理の手順を示すフローチャートである。比較部２４から通常状態を指定されていれば（Ｓ３０のＹ）、軟判定部２６は、軟判定を実行する（Ｓ３２）。一方、比較部２４からイレージャ状態を指定されていれば（Ｓ３０のＮ）、軟判定部２６は、ＵＷを軟判定し（Ｓ３４）、データを硬判定する（Ｓ３６）。
【００４１】
図８は、受信装置１００における位相確定処理の手順を示すフローチャートである。処理対象ＵＷと前後のＵＷの部分との符号が異なっており（Ｓ５０のＹ）、前後のＵＷの部分の絶対値がしきい値「α」よりも大きく（Ｓ５２のＹ）、かつ処理対象ＵＷの絶対値がしきい値「β」よりも小さければ（Ｓ５４のＹ）、確定部３６は処理対象ＵＷに続くデータの位相を反転する（Ｓ５６）。一方、処理対象ＵＷと前後のＵＷの部分との符号が異なっておらず（Ｓ５０のＮ）、あるいは前後のＵＷの部分の絶対値がしきい値「α」よりも大きくなく（Ｓ５２のＮ）、あるいは処理対象ＵＷの絶対値がしきい値「β」よりも小さくなければ（Ｓ５４のＮ）、確定部３６は処理を終了する。
【００４２】
本発明の実施例によれば、位相誤差の大きさによらずＵＷを軟判定するので、ＵＷを検出できる。また、ＵＷを検出できるので、復調した信号の位相を特定するために、ＵＷを使用できる。また、位相誤差の大きさに応じてデータを軟判定あるいは硬判定するので、復号部での枝メトリックに及ぼす影響を位相誤差の大きさに応じて調節できる。また、位相誤差が小さくなれば、軟判定を実行することによって復号結果の信頼性を向上できる。また、位相誤差が大きくなれば、硬判定を実行することによって復号結果に及ぼす影響を小さくできる。また、位相誤差が大きくなっても、受信特性の悪化を抑圧できる。また、硬判定を実行する際に、軟判定のために規定された複数の値のうち、信頼性の小さい部分を使用するので、枝メトリックに及ぼす影響を小さくできる。また、位相誤差が大きい場合であっても、硬判定の値によって枝メトリックを更新しているので、位相誤差が小さくなるときに、通常の状態への復帰を高速に実行できる。
【００４３】
また、信号系列の中から、ＵＷの部分とデータの部分とを特定するので、ＵＷの部分とデータの部分とのそれぞれに対して、異なった判定を実行できる。また、軟判定したＵＷを使用して位相スリップを検出するので、信頼性の情報を使用することによって、位相スリップの検出精度を向上できる。また、位相誤差が大きい場合に、ＵＷとデータに対する処理を別にすることによって、位相スリップの検出精度を向上しながら、受信特性の悪化を抑圧できる。また、位相誤差をもとにイレージャ状態を検出し、イレージャ状態を検出したときに判定の処理の種類を切り替えるので、イレージャ状態の検出と切替との間との時間差を小さくできる。また、時間差を小さくできるので、イレージャ状態の検出の遅れによる受信特性の悪化を抑圧できる。また、時間差を小さくできるので、イレージャ状態の終了からの復帰を高速に実行できる。
【００４４】
以上、本発明を実施例をもとに説明した。この実施例は例示であり、それらの各構成要素や各処理プロセスの組合せにいろいろな変形例が可能なこと、またそうした変形例も本発明の範囲にあることは当業者に理解されるところである。
【００４５】
本発明の実施例において、受信装置１００は、連続信号を受信している。しかしながらこれに限らず、受信装置１００は、バースト信号を受信してもよい。すなわち、受信される信号の形式によらず、実施例の適用が可能である。
【図面の簡単な説明】
【００４６】
【図１】本発明の実施例に係る受信装置の構成を示す図である。
【図２】図１の受信装置において入力される信号のフォーマットを示す図である。
【図３】図１の比較部において記憶されているしきい値のデータ構造を示す図である。
【図４】図１の軟判定部における軟判定の動作原理を示す図である。
【図５】図１のインタリーブバッファにおけるデータ構造を示す図である。
【図６】図１の受信装置におけるイレージャ状態の検出動作の手順を示すフローチャートである。
【図７】図１の受信装置における判定処理の手順を示すフローチャートである。
【図８】図１の受信装置における位相確定処理の手順を示すフローチャートである。
【符号の説明】
【００４７】
１０  アンテナ、  １２  ＲＦ部、  １６  直交検波部、  １８  ＡＤ部、  ２０  復調部、  ２２  導出部、  ２４  比較部、  ２６  軟判定部、  ２８  インタリーブバッファ、  ３０  デインタリーブ部、  ３２  フレーム同期部、  ３４  ＵＷテーブル、  ３６  確定部、  ３８  復号部、  ４０  制御部、  １００  受信装置。
【図１】
2007067564.tif 000003
【図２】
2007067564.tif 000004
【図３】
2007067564.tif 000005
【図４】
2007067564.tif 000006
【図５】
2007067564.tif 000007
【図６】
2007067564.tif 000008
【図７】
2007067564.tif 000009
【図８】
2007067564.tif 000010